(57)【要約】【課題】本考案は、光ケーブル接続作業を１人で安全かつ容易におこなえるとともに、光ケーブル接続作業における品質を確保し、マンホール内で使用できる持ち運びの容易な光ケーブル接続用の作業台を提供する。【解決手段】本願発明に係る光ケーブル接続作業台を、ケーブル支持ブラケット上に固定される二つ折り可能な作業平板と、前記作業平板の略中心部に穿設された作業貫通孔と、前記作業平板に着脱自在に固着される一対のケーブル固定具と、前記作業貫通孔の下方に懸吊されるケーブル心線収納容器と、前記作業貫通孔の周縁にその一端が固着されたケーブル心線把持金具を固定する固定帯と、からなる構成とした。【選択図】図１
0003119246.tif 000002
【実用新案登録請求の範囲】
【請求項１】
マンホール壁面から突設されるケーブル支持ブラケット上に固定される平板であって長手方向が該マンホール壁面と平行な矩形の作業平板と、
前記作業平板の略中心部に穿設されケーブル心線把持金具が載置される貫通孔であって長手方向が前記作業平板と同方向の矩形の作業貫通孔と、
前記作業貫通孔の周縁部近傍にその一端または中間部が固着される前記ケーブル心線把持金具を固定する固定帯と、
前記作業平板の表面かつ前記作業貫通孔の左右長手方向の延長上にあって相互に所定の離間距離をもって固着されるケーブル固定用の一対のケーブル固定具と、
前記作業平板の裏面に固着される前記ケーブル支持ブラケットを把持するブラケット把持具とからなる、ことを特徴とする光ケーブル接続作業台。
【請求項２】
前記作業平板は該作業平板の短辺に平行する中心線で二分割されて折畳み自在に相互に蝶着され、
前記ケーブル固定具は前記作業平板に対し着脱自在である、ことを特徴とする請求項１に記載の光ケーブル接続作業台。
【請求項３】
前記作業貫通孔の下方にはケーブル心線が収納されるケーブル心線収納容器が前記作業平板の裏面に着脱自在に懸吊され、
前記作業貫通孔と前記ケーブル固定具との間には前記ケーブル心線把持金具の両端部が嵌合する一対の嵌合孔が穿設され、
前記マンホール壁面に対して前記作業貫通孔の手前側には矩形平板のケーブル接続作業板が前記作業平板に対して着脱自在に固着され、
前記作業平板の前記マンホール壁面に対して手前側にはスケールが具えられている、ことを特徴とする請求項１または請求項２に記載の光ケーブル接続作業台。
【請求項４】
前記マンホール壁面に対して前記作業平板の左右両端の中央部には把手が具えられ、
前記作業平板の裏面には前記ケーブル固定具を固着するケーブル固定具止め具が固着され、
前記作業平板は裏面同士が相対して折畳まれる、ことを特徴とする請求項２または請求項３に記載の光ケーブル接続作業台。
【考案の詳細な説明】
【技術分野】
【０００１】
本考案は、地中に埋設された光ケーブルの結線作業に使用される作業台に関する。
【背景技術】
【０００２】
地中埋設の光ケーブルはマンホールを経由して地中にネット状に張り巡らされていて、マンホール内では、マンホール壁面から突設されたブラケット上に光ケーブルが載置されている。そして、光ケーブル相互の接続もまた、マンホール内でおこなわれるが、光ケーブル相互の接続箇所には、クロージャが介在する。
このクロージャは、円筒状の本体と円筒状の本体の両端部に嵌着される一対の端面板と円筒状の本体内に収納されるケーブル心線把持金具から構成されていて、さらに、円筒状の本体は縦方向に二分割されていて、二分割された一端同士が相互に蝶着されて開閉自在となっている。
【０００３】
そして、マンホール内でおこなわれる光ケーブル相互結線作業は以下のような手順によりおこなわれる。すなわち、
（１）対象とする光ケーブル同士の端部を所定長重ね合わせるようにしてマンホール壁面から突設されたケーブル支持ブラケットに、クレモナやインシュロックなどの結束紐で仮止めする。
（２）重ね合わせた光ケーブルの端部のケーブル外被を約１，０００ｍｍ程度剥ぎ取って心線を剥き出しにする。この場合、剥ぎ取られていない光ケーブルの端部の離間距離は約４００ｍｍとなる。
（３）ケーブル外被を剥ぎ取られた心線の端部同士を溶着する。
（４）溶着されて一本化されることにより、弛んだ状態になっている心線を巻回してケーブル心線把持金具に取着し、あるいはケーブル心線把持金具に巻回する。
（５）剥ぎ取られていない光ケーブルの両端部のそれぞれに、端面板を嵌着させる。
（６）クロージャ本体を開口させてケーブル心線が取着されたケーブル心線把持金具を包み込むとともに、クロージャ本体の両端部を端面板に嵌合させる。
（７）光ケーブルを仮止めしている結束紐を解いて、クロージャをケーブル支持ブラケットに固定する。
【０００４】
この上述した光ケーブルの結線作業では、通常は２人の作業員が担当し、その上、ケーブル外被を剥ぎ取られた心線をマンホールの床にたらすことが、多く見受けられ、光ケーブルの結線作業における結線部分の品質が低下するおそれが生ずる。
【０００５】
ところで、従来における電線の結線に使用される道具としては、たとえば、実開昭６２−４１６８７号公報に開示された考案の名称を「取付け型電気機器の結線作業台」とする考案がある。
この考案は、「電気機器への結線作業を１人で安全かつ容易におこなえるようにすること」を目的としていて、「電気機器を載置して結線作業するための支持部と、支持部を保持させるための保持手段とから成る」構成とすることにより、その課題解決を図ったものである。
しかしながら、光ケーブルの結線作業は、電気機器の結線作業とはその手順や工具等がまったく異なり、光ケーブルの結線作業に当該考案に開示の道具を転用することはできない。
【特許文献１】実開昭６２−４１６８７号公報
【考案の開示】
【考案が解決しようとする課題】
【０００６】
そこで、本考案は、光ケーブル接続作業を１人で安全かつ容易におこなえるとともに、光ケーブル接続作業における品質を確保し、マンホール内で使用できる持ち運びの容易な光ケーブル接続用の作業台を提供することを目的とする。
【課題を解決するための手段】
【０００７】
上記課題を解決するために、本願請求項１に係る光ケーブル接続作業台は、マンホール壁面から突設されるケーブル支持ブラケット上に固定される平板であって長手方向が該マンホール壁面と平行な矩形の作業平板と、前記作業平板の略中心部に穿設されケーブル心線把持金具が載置される貫通孔であって長手方向が前記作業平板と同方向の矩形の作業貫通孔と、前記作業貫通孔の周縁部近傍にその一端または中間部が固着される前記ケーブル心線把持金具を固定する固定帯と、前記作業平板の表面かつ前記作業貫通孔の左右長手方向の延長上にあって相互に所定の離間距離をもって固着されるケーブル固定用の一対のケーブル固定具と、前記作業平板の裏面に固着される前記ケーブル支持ブラケットを把持するブラケット把持具とからなる、ことを特徴としている。
また、本願請求項２に係る光ケーブル接続作業台は、請求項１に記載の光ケーブル接続作業台であって、前記作業平板は該作業平板の短辺に平行する中心線で二分割されて折畳み自在に相互に蝶着され、前記ケーブル固定具は前記作業平板に対し着脱自在である、ことを特徴としている。
そして、本願請求項３に係る光ケーブル接続作業台は、請求項１または請求項２に記載の光ケーブル接続作業台であって、前記作業貫通孔の下方にはケーブル心線が収納されるケーブル心線収納容器が前記作業平板の裏面に着脱自在に懸吊され、前記作業貫通孔と前記ケーブル固定具との間には前記ケーブル心線把持金具の両端部が嵌合する一対の嵌合孔が穿設され、前記マンホール壁面に対して前記作業貫通孔の手前側には矩形平板のケーブル接続作業板が前記作業平板に対して着脱自在に固着され、前記作業平板の前記マンホール壁面に対して手前側にはスケールが具えられている、ことを特徴としている。
さらに、本願請求項４に係る光ケーブル接続作業台は、請求項２または請求項３に記載の光ケーブル接続作業台であって、前記マンホール壁面に対して前記作業平板の左右両端の中央部には把手が具えられ、前記作業平板の裏面には前記ケーブル固定具を固着するケーブル固定具止め具が固着され、前記作業平板は裏面同士が相対して折畳まれる、ことを特徴としている。
【考案の効果】
【０００８】
本願請求項１に係る光ケーブル接続作業台は、ケーブル支持ブラケット上に載置される矩形の平板を作業台としているので、ケーブル結線の作業性が向上するとともに、この矩形の作業平板は当該作業平板の裏面に固着されたブラケット把持具でブラケットに確実に固定されるので、結線作業がし易くなる。
また、作業平板の略中心部にケーブル心線把持金具が載置される矩形状の作業貫通孔が穿設され、さらに、作業貫通孔の周縁部近傍にはその一端または中間部が固着されたケーブル心線把持金具を固定する固定帯を具えているので、ケーブル心線把持金具の一端を固定帯で固定するとともに作業平板に対して傾けることができ、端部同士が溶着された心線を巻回してケーブル心線把持金具に取着する心線の収納作業が容易になる。
そして、作業貫通孔の左右両脇にはケーブルを固定する一対のケーブル固定具が、相互に所定の離間距離をもって固着されているので、クレモナやインシュロックなどの結束紐で、光ケーブルをケーブル支持ブラケットに仮止めする必要はない。なお、ここでいう「所定の離間距離」とは、クロージャ全体が内包される距離をいう。
以上の構成を有する本願請求項１に係る光ケーブル接続作業台を使用することにより、ケーブル接続作業を１人で安全かつ容易におこなうことができる。
なお、「作業貫通孔の左右」とは作業平板をケーブル支持ブラケットに取り付けてマンホールの壁面に向き合ったときの方向をいい、同様に後述する「手前側」とは、作業平板におけるマンホールの壁面に対して反対となる側をいう。
【０００９】
また、本願請求項２に係る光ケーブル接続作業台では、ケーブル固定具を着脱自在とし、作業台である矩形の作業平板を二分割して折畳み自在としたので、ケーブル固定具を外して作業平板を折畳むことにより、１人で容易に持ち運びすることができる。
【００１０】
そして、本願請求項３に係る光ケーブル接続作業台では、作業貫通孔の下方にはケーブル心線収納容器が作業平板の裏面に着脱自在に懸吊されている。ケーブル心線収納容器を懸吊してケーブル接続作業をおこなえば、心線をケーブル心線収納容器に入れることができるので、マンホールの床上に垂らすことがなく、心線の養生がおこなえ品質の確保を図ることができる。また、ケーブル接続作業後の心線屑入れにもなり、後片付けが容易になる。
さらに、作業貫通孔の左右両脇にはケーブル心線把持金具の両端部が嵌合する嵌合孔が穿設されているので、ケーブル心線把持金具を作業平板上に載置したときに、ケーブル心線把持金具は安定したグラつくことのない状態で固定される。
また、作業貫通孔の手前側にはケーブル接続作業板が着脱自在に固着されている。ケーブル接続作業に際しては、作業台として所定幅の大きさの台が必要であるが、作業平板全体をこの所定幅とした場合には、作業平板が大きくなり持ち運びに不便なものとなる。しかし、ケーブル接続作業板を別体なものとして着脱自在とすることにより、作業平板自体をコンパクトなものとすることができる。その上、ケーブル接続作業板を作業平板上に固定すれば、二分割された作業平板のしなりを防止することができる。
そして、作業平板の手前側にはスケールが具えられているので、ケーブルの外被はぎ取りの目安にすることができる。
【００１１】
さらに、本願請求項４に係る光ケーブル接続作業台では、作業平板の左右両端には把手が具えられていて、作業平板の裏面にはケーブル固定具を固着するケーブル固定具止め具が固着されているので、作業平板を折畳んで持ち運ぶときに把手により楽に持ち運ぶことができ、また、ケーブル固定具をケーブル固定具止め具に固着することにより紛失の心配がない。
そして、作業平板は折畳まれたときには裏面同士が対向するようになっていて、折畳み時には、ケーブル固定具が裏面に収納され、ブラケット把持具もまた裏面に固着されているので、表面には突起物がなく、持ち運ぶ際に他の工具や資材等に引っ掛けるようなことはない。
【考案を実施するための最良の形態】
【００１２】
本願発明を実施するための最良の形態に係る実施例について、図１および図２に基づいて説明する。図１は、実施例に係る光ケーブル接続作業台の取付け平面図、図２は、実施例に係る光ケーブル接続作業台の裏面図、図３は、光ケーブル接続作業台を折畳んだ図であって図（ａ）は正面図、図（ｂ）は側面図、図４は、実施例に係るケーブル固定具の側面図である。
なお、本実施例に係る具体的な寸法は、クロージャに品番が７ＳＣ（７ＢＳＣ）のものを使用する場合を想定しているものであり、必ずしもこの寸法に限るものではないことは勿論である。
【００１３】
まず、実施例に係る光ケーブル接続作業台の構成について説明する。図１ないし図４において、符号１は実施例に係る光ケーブル接続作業台、符号１０は作業平板、符号１２は作業貫通孔、符号１４はケーブル固定具固着用孔、符号１６は把手、符号１８は固定帯、符号２０は嵌合孔、符号２２は蝶番、符号２３はブラケット把持具、符号２４はしなり防止板、符号２６はケーブル固定具止め具、符号２８はスケール、符号３０はケーブル固定具、符号３２はケーブル固定具外枠、符号３２２はケーブル固定具上部外枠、符号３２４はケーブル固定具下部外枠、符号３４はケーブル挟持具、符号３４２はケーブル上部挟持具、符号３４４はケーブル下部挟持具、符号３６は締付ボルト、符号３８は固定ボルト、符号４０は蝶番、符号４２は止め具、符号５０はケーブル接続作業板、符号５２は作業板固定具、符号６０はケーブル心線収納容器、符号１０２は光ケーブル、符号１０４はマンホール壁面、符号１０６はケーブル支持ブラケット、である。
【００１４】
光ケーブル接続作業台１は、主として、作業平板１０、一対のケーブル固定具３０、およびケーブル接続作業板５０から構成されている。
【００１５】
作業平板１０は平板であって、本実施例においては１，２００ｍｍ×３５０ｍｍの矩形状の木製の板で形成されている。この作業平板１０には４００ｍｍ×１３５ｍｍの矩形の作業貫通孔１２が穿設されていて、作業貫通孔１２の長辺は作業平板１０の長辺に平行となっている。そして、作業平板１０と作業貫通孔１２の短辺に平行な中心線は略一致するが、長辺に平行な中心線はずれていて、作業貫通孔１２は作業平板１０に対する縁明きはマンホール壁面側のほうが狭くなるように形成されている。
さらに、作業平板１０は短辺に平行な中心線で二分割され、蝶番２２により作業平板１０の裏面が相対するように折畳むことができる。なお、蝶番２２は所定の厚みを有するしなり防止板２４を介して作業平板１０の裏面に固着されているので、作業平板１０を折畳んだときには、作業平板１０の裏面相互は所定の隙間を有することになる。また、このしなり防止板２４は所定の厚みを有しているので、作業平板１０を展開して作業台として使用したときに、蝶着部分のしなりが防止できる。
【００１６】
作業貫通孔１２の左右両サイドには順に、嵌合孔２０、２０およびケーブル固定具固着用孔１４、１４が穿設されている。嵌合孔２０およびケーブル固定具固着用孔１４は、ともに作業貫通孔１２の短辺に平行な長辺を有する矩形状を呈していて、嵌合孔２０は５０ｍｍ×１４ｍｍ、ケーブル固定具固着用孔１４は１２５ｍｍ×１０ｍｍの大きさであるが、ケーブル固定具固着用孔１４については、その一端に３０ｍｍφの円形の孔が穿設されている。
そして、嵌合孔２０、２０およびケーブル固定具固着用孔１４、１４は、ともに作業貫通孔１２の短辺に並行する中心線に対して対称の位置に穿設されていて、当該中心線に対して、嵌合孔２０、２０は２６０ｍｍの位置に、ケーブル固定具固着用孔１４、１４は４５０ｍｍの位置に穿設されている。
【００１７】
また、作業平板１０の手前側には長辺の辺縁に沿ってスケール２８が取着され、作業平板１０の両短辺の辺縁中央部には把手１６、１６が固着されている。そして、作業平板１０の裏面の所定の位置には２つのケーブル固定具止め具２６、２６が固着されていて、この所定の位置とは、作業平板１０を折畳んだときに重なることのない位置であって、ケーブル固定具固着用孔１４や嵌合孔２０を避けた位置をいう。このケーブル固定具止め具２６は側面視がコの字状の金具であって、歯を外側に向けて作業平板１０に固着されている。
【００１８】
さらに、作業平板１０の裏面の作業貫通孔１０の長辺の略中央部には２本の固定帯１８、１８が固着されていて、この固定帯１８には面ファスナーが具えられ、使用時には作業平板１０の表面に捲回して、ケーブル心線把持金具（図示外）を固定するようになっている。
【００１９】
そして、作業平板１０の裏面のマンホール壁面に相対する長辺の辺縁近傍には、４つのブラケット把持具２３、２３、・・・が固着されていて、この４つのブラケット把持具２３は、作業平板１０の短辺に平行な中心線に対してそれぞれ４００ｍｍ、５００ｍｍ離れた位置に固着されている。したがって、内側の２つのブラケット把持具２３、２３は相互に８００ｍｍ離間し、外側の２つのブラケット把持具２３、２３は相互に１，０００ｍｍ離間している。これら８００ｍｍ、１，０００ｍｍという寸法は、ケーブル支持ブラケット１０６の設置間隔に対応するものであり、ケーブル支持ブラケット１０６の設置間隔が異なっていても使用することができるようになっている。
また、ブラケット把持具２３は側面視がコの字状であって歯先が内側に折れ曲った形状を呈していて、歯先を外側に向けて作業平板１０に固着されている。そして、固定ボルトが作業平板１０の表側に貫通していて、ケーブル支持ブラケット１０６をブラケット把持具２３に嵌合した後、固定ボルトを締め付けることにより、ケーブル支持ブラケット１０６に対して作業平板１０に固定することができるようになっている。
【００２０】
ケーブル固定具３０は、主に、ケーブル固定具外枠３２、ケーブル挟持具３４、締付ボルト３６および固定ボルト３８から構成されていて、さらに、ケーブル固定具外枠３２はケーブル固定具上部外枠３２２とケーブル固定具下部外枠３２４とから構成されている。
ケーブル固定具上部外枠３２２およびケーブル固定具下部外枠３２４は、ともにコの字状の金物であってコの字の歯の部分を向かい合わせることにより、ケーブル固定具外枠３２はロの字状を呈している。さらに、ケーブル固定具上部外枠３２２およびケーブル固定具下部外枠３２４は、蝶番４０を介して蝶着されていて相互に開閉自在となっている。
【００２１】
そして、ケーブル挟持具３４は、ケーブル固定具外枠３２に囲繞されていて、ケーブル上部挟持具３４２とケーブル下部挟持具３４４とから構成されている。
ケーブル上部挟持具３４２は断面が略直径３０ｍｍの半円状のケーブル受け金物であって、この半円状のケーブル受け金物を上に凸とした状態でケーブル上部挟持具３４２に締付ボルト３６が連設されている。そして、締付ボルト３６はケーブル固定具上部外枠３２２を貫通していて、締付ボルト３６のボルト頭を回動させることにより、ケーブル上部挟持具３４２は上下方向にスライドするようになっている。
また、ケーブル下部挟持具３４４は断面が略直径３０ｍｍの半円状のケーブル受け金物であって、この半円状のケーブル受け金物を上に凹とした状態でケーブル固定具下部外枠３２４に固定されていて、上下方向にスライドすることはない。そして、ケーブル固定具下部外枠３２４の下部には、固定ボルト３８が螺入されていて、固定ボルト３８のボルト頭を回動させることにより、固定ボルト３８のボルト頭とケーブル固定具下部外枠３２４との離間距離が調整できるようになっている。
このような構成により、ケーブル固定具３０は、作業平板１０に固定ボルト３８を介して固定できるとともに、ケーブル挟持具３４により１０．５ｍｍφ〜３０ｍｍφの光ケーブル１０２を固定することができる。
【００２２】
また、ケーブル接続作業板５０は平板であって、３００ｍｍ×２５０ｍｍの矩形状の木製の板で形成されている。このケーブル接続作業板５０は、作業板固定具５２により作業平板１０の手前側に固着されるが、固着に際しては、作業貫通孔１２の手前側の長辺の小口とケーブル接続作業板５０の長辺の小口を略面一にする。
【００２３】
そして、ケーブル心線収納容器６０は、開口部が作業貫通孔１２よりも一回り大きく形成された袋体であって、作業貫通孔１２の周縁に固着された金具により作業平板１０から着脱自在に懸吊されている。
【００２４】
つぎに、光ケーブル接続作業台１の使用例の一形態について、順序を追って説明する。
【００２５】
（１）まず、マンホール内に運び込んだ光ケーブル接続作業台１を展開し、作業平板１０に固着されたケーブル固定具３０、３０をケーブル固定具止め具２６、２６から取り外す。前述したように、ケーブル固定具止め具２６はコの字状の金具であって、歯を外側に向けて作業平板１０に固着されている。そして、ケーブル固定具３０のケーブル固定具外枠３２をケーブル固定具止め具２６に嵌合させ、締付ボルト３６および固定ボルト３８を締め付けることにより、ケーブル固定具３０はケーブル固定具止め具２６に固定されているから、締付ボルト３６あるいは固定ボルト３８を緩めることにより、簡単に取り外すことができる。
【００２６】
（２）展開した作業平板１０を裏返しにして、すなわち、作業平板１０の表面を表にして、ブラケット把持具２３、２３にケーブル支持ブラケット１０６、１０６を嵌合させ、作業平板１０を固定する。
その後、ケーブル固定具３０、３０を作業平板１０の表面に固着させる。この固着方法は、固定ボルト３８を緩めて、ケーブル固定具固着用孔１４の一端に穿設された３０ｍｍφの円形の孔から固定ボルト３８のボルト頭を挿入し、ケーブル固定具固着用孔１４の幅１０ｍｍの矩形孔に沿ってスライドさせ、所定位置で固定ボルト３８を締め付けることにより固定する。さらに、作業板固定具５２を介してケーブル接続作業板５０を作業平板１０上に固定し、ケーブル心線収納容器６０を作業平板１０から懸吊させる。
【００２７】
（３）ケーブル固定具３０、３０を開き、対象とする２本の光ケーブル１０２、１０２の端部を所定長重ね合わせるようにしてケーブル下部挟持３４４、３４４の上に載置し、ケーブル固定具３２２、３２２を元に戻して止め具４２で止めてケーブル固定具３０、３０を閉じる。その後、締付ボルト３６を回動させてケーブル上部挟持具３４２を下方向にスライドさせて光ケーブル１０２、１０２を固定する。
【００２８】
（４）重ね合わせた光ケーブル１０２、１０２の端部のケーブル外被を約１，０００ｍｍ程度剥ぎ取って心線を剥き出しにする。この剥ぎ取り長さは、作業平板１０の手前側に取着されたスケール２８により計ることができる。
（５）ケーブル外被を剥ぎ取られた心線の端部同士を溶着する。
【００２９】
（６）作業貫通孔１２上にケーブル心線把持金具（図示外）を載置し、固定帯１８を作業平板１０の裏面から捲回してケーブル心線把持金具（図示外）の一端を緊縛して固定する。なお、ケーブル心線把持金具の両端部の金具が作業平板１０の２つの嵌合孔２０、２０に嵌合することより、ケーブル心線把持金具は前後左右にずれることなく、作業貫通孔１２上に確実に固定される。
【００３０】
（７）溶着されて一本化されることにより、光ケーブル１０２の剥き出しになって弛んだ状態になっている心線部分を巻回してケーブル心線把持金具（図示外）に取着し、あるいはケーブル心線把持金具に巻回する。
（８）固定帯１８をケーブル心線把持金具（図示外）から解いて、剥ぎ取られていない光ケーブル１０２の両端部のそれぞれに端面板（図示外）を嵌着させる。
（９）ケーブル固定具３０から光ケーブル１０２を外し、クロージャ本体（図示外）を開口させて、光ケーブル１０２の心線が取着されたケーブル心線把持金具（図示外）を包み込むとともに、クロージャ本体の両端部を端面板（図示外）に嵌合させる。
（１０）ケーブル心線収納容器６０を作業平板１０から取り外した後、作業平板１０をケーブル支持ブラケット１０６から外し、クロージャをケーブル支持ブラケット１０６に固定する。
以上により、光ケーブル１０２の結線作業が完了する。なお、結線作業中に生じた光ケーブル１０２の切れ端等の屑は、ケーブル心線収納容器６０に収納されているので、後片付けが容易である。
【図面の簡単な説明】
【００３１】
【図１】図１は、実施例に係る光ケーブル接続作業台の取付け平面図である。
【図２】図２は、実施例に係る光ケーブル接続作業台の裏面図である。
【図３】図３は、光ケーブル接続作業台を折畳んだ図であって図（ａ）は正面図、図（ｂ）は側面図である。
【図４】図４は、実施例に係るケーブル固定具の側面図である。
【符号の説明】
【００３２】
１  実施例に係る光ケーブル接続作業台
１０  作業平板
１２  作業貫通孔
１６  把手
２３  ブラケット把持具
３０  ケーブル固定具
５０  ケーブル接続作業板
１０２  光ケーブル
【図１】
0003119246.tif 000003
【図２】
0003119246.tif 000004
【図３】
0003119246.tif 000005
【図４】
0003119246.tif 000006